(57)【要約】【課題】簡単に折り畳んで携帯することができ、かつ、ファッション性に富んだ鞄およびそれに用いる鞄用持ち手を提供する。【解決手段】長尺体１１の一方の端部に第１環状体１３および第２環状体１４が取り付けられ、他方の端部に第３環状体１６および第４環状体１７が取り付けられた持ち手１０を備える。略平面状の布地を折り畳んだり結んだりして形を作り、その一部を、第１環状体１３および第２環状体１４を利用して持ち手１０の一方の端部に取り付け、他の一部を、第３環状体１６および第４環状体１７を利用して持ち手１０の他方の端部に取り付けることにより、収納部２１とする。【選択図】図２
0003149976.tif 000002
【実用新案登録請求の範囲】
【請求項１】
帯状の長尺体と、
この長尺体の長手方向における一方の端部に取り付けられた第１環状体および第２環状体と、
前記長尺体の長手方向における他方の端部に取り付けられた第３環状体および第４環状体と
を備えたことを特徴とする鞄用持ち手。
【請求項２】
持ち手と、収納部とを備えた鞄であって、
前記持ち手は、帯状の長尺体と、この長尺体の長手方向における一方の端部に取り付けられた第１環状体および第２環状体と、前記長尺体の長手方向における他方の端部に取り付けられた第３環状体および第４環状体とを有し、
前記収納部は、略平面状の布地からなり、一部が、前記第１環状体の内側および前記第２環状体の内側を通した後、前記第２環状体の外側をまわして前記第１環状体の内側を通すことにより前記持ち手の一方の端部に取り付けられ、他の一部が、前記第３環状体の内側および前記第４環状体の内側を通した後、前記第４環状体の外側をまわして前記第３環状体の内側を通すことにより前記持ち手の他方の端部に取り付けられた
ことを特徴とする鞄。
【考案の詳細な説明】
【技術分野】
【０００１】
本考案は、鞄に用いる持ち手およびそれを用いた鞄に関する。
【背景技術】
【０００２】
近年、エコバックなどの折り畳んで携帯できる鞄を持ち歩く人が増えている。このような携帯用鞄は、普段は折り畳んでおき、必要な時に広げて鞄として用いることができるので、非常に便利である。しかし、従来の携帯用鞄は、機能性のみが重視されており、ファッション性が低いので、着る服によっては合わせにくいという問題があった。
【０００３】
また、従来より、日本では、物を包む道具として風呂敷が用いられている。風呂敷は、１枚の四角い布からなるので、簡単に畳んで小さくして携帯することができ、また、広げた時には大きくなり、包む物に合わせて包み方を変えることにより、様々な物を包むことができる。更に、風呂敷は様々な絵柄がデザインされているので、ファッション性も高い。しかし、風呂敷は、包み方が難しく、一般の人が気軽に持ち歩くには難しいという問題があった。また、風呂敷をそのまま用いるのは、人や着る服によっては合わせにくいという問題もあった。
【先行技術文献】
【特許文献】
【０００４】
【特許文献１】実用新案登録第３０９３９１４号公報
【考案の概要】
【考案が解決しようとする課題】
【０００５】
本考案は、このような問題に基づきなされたものであり、簡単に折り畳んで携帯することができ、かつ、ファッション性に富んだ鞄およびそれに用いる鞄用持ち手を提供することを目的とする。
【０００６】
なお、従来技術としては、持ち手を面状ファスナーまたはボタンなどにより鞄から取り外し可能としたものが提案されている（特許文献１参照）。しかしながら、特許文献１に記載の鞄は、面状ファスナーやボタンなどを用いているので、鞄本体にも対応する面状ファスナーやボタンなどの部材を取り付けておかなければならず、持ち手に合わせて用意された鞄でないと取り替えることができない。また、面状ファスナーやボタンを用いているので、十分な取り付け強度を得ることが難しい。
【課題を解決するための手段】
【０００７】
本考案の鞄用持ち手は、帯状の長尺体と、この長尺体の長手方向における一方の端部に取り付けられた第１環状体および第２環状体と、長尺体の長手方向における他方の端部に取り付けられた第３環状体および第４環状体とを備えたものである。
【０００８】
本考案の鞄は、持ち手と、収納部とを備えたものであって、持ち手は、帯状の長尺体と、この長尺体の長手方向における一方の端部に取り付けられた第１環状体および第２環状体と、長尺体の長手方向における他方の端部に取り付けられた第３環状体および第４環状体とを有し、収納部は、略平面状の布地からなり、一部が、第１環状体の内側および第２環状体の内側を通した後、第２環状体の外側をまわして第１環状体の内側を通すことにより持ち手の一方の端部に取り付けられ、他の一部が、第３環状体の内側および第４環状体の内側を通した後、第４環状体の外側をまわして第３環状体の内側を通すことにより持ち手の他方の端部に取り付けられたものである。
【考案の効果】
【０００９】
本考案の鞄用持ち手および鞄によれば、長尺体の長手方向における一方の端部に第１環状体および第２環状体を取り付けると共に、他方の端部に第３環状体および第４環状体を取り付けるようにしたので、略平面状の布地を必要に応じて折り畳んだり結んだりして形を作り、その一部を、第１環状体および第２環状体を利用して持ち手の一方の端部に取り付け、他の一部を、第３環状体および第４環状体を利用して持ち手の他方の端部に取り付けることにより、簡単に収納部を作ることができる。また、簡単に収納部を取り外すこともでき、携帯する際には、収納部を小さく折り畳むこともできる。よって、携帯性および収納性を向上させることができる。更に、収納部には略平面上の布地を用いることができるので、持ち手に合わせて作られた特別な収納部を用意する必要がなく、汎用性を高めることができる。加えて、収納部には、風呂敷やスカーフなどのデザイン性に富んだものを利用することができると共に、状況に応じて交換したり、畳み方や結び方を変えることもできるので、ファッション性を高めることができる。
【図面の簡単な説明】
【００１０】
【図１】本考案の一実施の形態に係る鞄用持ち手の構成を表す図であり、（Ａ）は表から見た図、（Ｂ）は裏から見た図、（Ｃ）は横から見た図、（Ｄ）は（Ｃ）と直交する方向の横から見た図である。
【図２】本考案の一実施の形態に係る鞄の構成を表す図である。
【図３】図２に示した鞄の収納部を形成する手順を示すための図である。
【図４】図３に続く手順を示すための図である。
【図５】本考案の他の実施の形態に係る鞄の構成を表す図である。
【図６】図５に示した鞄の収納部を形成する手順を示すための図である。
【図７】図６に続く手順を示すための図である。
【考案を実施するための形態】
【００１１】
以下、本考案の実施の形態について、図面を参照して詳細に説明する。
【００１２】
図１は、本考案の一実施の形態に係る鞄用の持ち手１０の構成を表すものであり、（Ａ）は表から見た図、（Ｂ）は裏から見た図、（Ｃ）は横から見た図、（Ｄ）は（Ｃ）と直交する方向の横から見た図である。なお、図１において破線で示したのは縫い目である。
【００１３】
持ち手１０は、持ち手部分となる帯状の長尺体１１を有しており、長尺体１１の長手方向の両端部には、鞄の収納部を取り付けるための取付部１１Ａ，１１Ｂがそれぞれ設けられている。長尺体１１は、例えば、天然皮革、合成皮革、布、または、ナイロン、ビニールあるいは天然繊維により帯状に編まれたベルトにより構成されている。なお、図１では長尺体１１が縫い合わされているように縫い目を示したが、例えば、帯状に編まれたベルトにより構成する場合には、長手方向に縫い合わされていなくてもよい。長尺体１１の長手方向の長さは、例えば、１５ｃｍから９０ｃｍ程度の範囲内において任意に決定される。例えば、手に提げて持つタイプの鞄であれば、１５ｃｍから４０ｃｍ程度が好ましく、肩に提げるタイプの鞄であれば、６０ｃｍから９０ｃｍ程度が好ましい。また、長尺体１１の幅は、１．５ｃｍから５ｃｍ程度が好ましい。
【００１４】
長尺体１１の一方の取付部１１Ａには、例えば、取付部材１２により、第１環状体１３および第２環状体１４が取り付けられている。取付部材１２は、例えば、長尺体１１の一方の端部に、第１環状体１３の内側および第２環状体１４の内側をそれぞれ通って輪を作るように設けられている。また、他方の取付部１１Ｂには、例えば、取付部材１５により、第３環状体１６および第４環状体１７が取り付けられている。取付部材１５は、例えば、長尺体１１の他方の端部に、第３環状体１６の内側および第４環状体１７の内側をそれぞれ通って輪を作るように設けられている。
【００１５】
取付部材１２，１５は、長尺体１１の端部を延長して一体的に形成されていてもよいが、長尺体１１とは別の部材を長尺体１１に取り付けることにより形成されていてもよい。取付部材１２，１５の長手方向における輪の部分の長さＬは、第１環状体１３および第２環状体１４、または、第３環状体１６および第４環状体１７が自由に動くように余裕をもたせた長さとされていることが好ましい。具体的には、例えば、１ｃｍ以上３ｃｍ以下とされていることが好ましい。
【００１６】
第１環状体１３、第２環状体１４、第３環状体１６、および第４環状体１７は、例えば、金属あるいはプラスチックにより構成されている。例えば、金、銀あるいは白金により形成されていてもよいし、これらのめっきを施したものであってもよい。形状は、環状部分があればよく、Ｄ環、Ｏ環、丸環、茄子環などどのようなものでもよく、装飾が施されていてもよいが、中でも、Ｄ環が好ましい。環のつなぎ目をＤの直線部分に設けた場合に、取付部材１２，１５によりつなぎ目を隠すことができ、見た目を良くすることができるからである。
【００１７】
図２は、持ち手１０を用いた鞄２０の一例を表わすものである。この鞄２０は、収納部２１に持ち手１０を取り付けたものである。収納部２１は、例えば、風呂敷あるいはスカーフなどの略平面状の布地を折り畳んだり結んだりして形成されたものである。収納部２１の一部は、第１環状体１３および第２環状体１４を利用して持ち手１０の一端部に取り付けられており、他の一部は、第３環状体１６および第４環状体１７を利用して持ち手１０の他端部に取り付けられている。
【００１８】
図３および図４は、持ち手１０に収納部２１を取り付ける手順を表したものである。まず、例えば矩形状の布地２２を用意し、図３（Ａ）に示したように、例えば裏面２２Ａを表にして三角形に２つ折りにする。次いで、図３（Ｂ）に示したように、折山２２Ｂ側の２つの角部２２Ｃ，２２Ｄをそれぞれ片結びする。続いて、図３（Ｃ）に示したように、折山２２Ｂの反対側から裏返し、表面２２Ｅを表にする。そののち、図４（Ａ）に示したように、折山２２Ｂの反対側の１つの角部２２Ｆを持ち手１０の第１環状体１３の内側および第２環状体１４の内側に通す。次いで、図４（Ｂ）に示したように、角部２２Ｆを第２環状体１４の外側をまわして第１環状体１３の内側に通す。また、折山２２Ｂの反対側の他の１つの角部２２Ｇについても、図４（Ａ）（Ｂ）と同様にして、持ち手１０の第３環状体１６の内側および第４環状体１７の内側を通した後、第４環状体１７の外側をまわして第３環状体１６の内側を通す。これにより、角部２２Ｆが持ち手１０の一方の取付部１１Ａに固定され、角部２２Ｇが持ち手１０の他方の取付部１１Ｂに固定されると共に、布地２２の内側には収納空間が形成される。
【００１９】
図５は、持ち手１０を用いた他の鞄３０の一例を表わすものである。この鞄３０も、図２に示した鞄２０と同様に、第１環状体１３、第２環状体１４、第３環状体１６および第４環状体１７を利用して、持ち手１０に略平面状の布地を折り畳んで形成した収納部３１を取り付けたものである。
【００２０】
図６および図７は、持ち手１０に収納部３１を取り付ける手順を表したものである。まず、例えば矩形状の布地３２を用意し、図６に示したように、例えば表面３２Ａを表にして四角形に２つ折りにする。次いで、折山３２Ｂの反対側の一方の角部３２Ｃ，３２Ｄを２枚合わせて、図７（Ａ）に示したように、持ち手１０の第１環状体１３の内側および第２環状体１４の内側に通す。続いて、図７（Ｂ）に示したように、角部３２Ｃ，３２Ｄを２枚合わせて第２環状体１４の外側をまわして第１環状体１３の内側に通す。また、折山３２Ｂの反対側の他方の角部３２Ｅ，３２Ｆについても、図７（Ａ）（Ｂ）と同様にして、２枚合わせて、持ち手１０の第３環状体１６の内側および第４環状体１７の内側を通した後、第４環状体１７の外側をまわして第３環状体１６の内側を通す。これにより、角部３２Ｃ，３２Ｄが２枚合わせて持ち手１０の一方の取付部１１Ａに固定され、角部３２Ｅ，３２Ｆが２枚合わせて持ち手１０の他方の取付部１１Ｂに固定されると共に、布地３２の内側には収納空間が形成される。
【００２１】
このように、本実施の形態によれば、長尺体１１の長手方向における一方の端部に第１環状体１３および第２環状体１４を取り付けると共に、他方の端部に第３環状体１６および第４環状体１７を取り付けるようにしたので、略平面状の布地２２，３２を必要に応じて折り畳んだり結んだりして形を作り、その一部を、第１環状体１３および第２環状体１４を利用して持ち手１０の一方の端部に取り付け、他の一部を、第３環状体１６および第４環状体１７を利用して持ち手１０の他方の端部に取り付けることにより、簡単に収納部２１，３１を作ることができる。また、簡単に収納部２１，３１を取り外すこともでき、携帯する際には、収納部２１，３１を小さく折り畳むこともできる。よって、携帯性および収納性を向上させることができる。更に、収納部２１，３１には略平面上の布地２２，３２を用いることができるので、持ち手１０に合わせて作られた特別な収納部２１，３１を用意する必要がなく、汎用性を高めることができる。加えて、収納部２１，３１には、風呂敷やスカーフなどのデザイン性に富んだものを利用することができると共に、状況に応じて交換したり、畳み方や結び方を変えることもできるので、ファッション性を高めることができる。
【００２２】
以上、実施の形態を挙げて本考案を説明したが、本考案は上記実施の形態に限定されるものではなく、種々変形可能である。例えば、上記実施の形態では、収納部２１，３１を形成する布地２２，３２として矩形状のものを具体的に例に挙げて説明したが、矩形状に限らず、どのような形でも良い。また、図３および図６では、正方形の布地２２，３２を用いる場合について示したが、長方形でもよい。
【産業上の利用可能性】
【００２３】
鞄に用いることができる。
【符号の説明】
【００２４】
１０…持ち手、１１…長尺体、１１Ａ，１１Ｂ…取付部、１２…取付部材、１３…第１環状体、１４…第２環状体、１５…取付部材、１６…第３環状体、１７…第４環状体、２０…鞄、２１…収納部、２２…布地、２２Ａ…裏面、２２Ｂ…折山、２２Ｃ，２２Ｄ，２２Ｆ，２２Ｇ…角部、２２Ｅ…表面、３０…鞄、３１…収納部、３２…布地、３２Ａ…表面、３２Ｂ…折山、３２Ｃ，３２Ｄ，３２Ｅ，３２Ｆ…角部
【図１】
0003149976.tif 000003
【図２】
0003149976.tif 000004
【図３】
0003149976.tif 000005
【図４】
0003149976.tif 000006
【図５】
0003149976.tif 000007
【図６】
0003149976.tif 000008
【図７】
0003149976.tif 000009